(57)【要約】      （修正有）【課題】トイレットペーパーを引き出す際に、トイレットペーパーの先端部が摘み易いトイレットペーパーホルダーを提供する。【解決手段】トイレットペーパーロール１４が保持され、トイレットペーパーロール１４上部を被覆すると共に使用者が引き出したペーパーを所定長さに切断するカバー１８を備えたトイレットペーパーホルダー１０であって、カバー１８は、ロール１４の上部前部側を被覆すると共に下方へ突出する突出部からなる切断部２２を有する前部側カバー部２４と、ロール１４の上部背部側を被覆する背部側カバー部とにより構成される。ペーパーが前部側カバー部２４により切断された場合には、ロール１４を引き出し方向へさらに回動させることによりペーパーの先端部を背部側カバー部に当接させることにより先端部をロール１４本体から離間させる駆動部を有する。【選択図】図１
0003188457.tif 000002
【実用新案登録請求の範囲】
【請求項１】
トイレットペーパーロールが保持され、上記トイレットペーパーロール上部を被覆すると共に使用者が引き出したペーパーを所定長さに切断するカバーを備えたトイレットペーパーホルダーであって、
上記カバーは、上記ロールの上部前部側を被覆すると共に下方へ突出する突出部からなる切断部を有する前部側カバー部と、上記ロールの上部背部側を被覆する背部側カバー部とにより構成され、
ペーパーが上記前部側カバー部により切断された場合には、上記ロールを上記引き出し方向へさらに回動させることによりペーパーの先端部を上記背部側カバー部に当接させることにより上記先端部をロール本体から離間させる駆動部を有することを特徴とするトイレットペーパーホルダー。
【請求項２】
上記前部側カバー部の切断部の端縁は上記ペーパーの長さ方向に沿って斜めに配置され所定角度を以って互いに隣接する直線部を有することを特徴とする請求項１記載のトイレットペーパーホルダー。
【請求項３】
上記前部側カバー部及び背部側カバー部は平面略三角形状に形成されていることを特徴とする請求項２記載のトイレットペーパーホルダー。
【請求項４】
上記前部側カバー部及び背部側カバー部は、夫々、後端部において互いに隣接された前部側カバー部軸部及び背部側カバー部軸部とにより軸支され、
上記前部側カバー部の後端部には、上記前部側カバー部軸部への軸着部から長さ方向外方に延設された第一の延設部が設けられると共に、
上記背部側カバー部の後端部には、上記背部側カバー部軸部への軸着部から長さ方向外方に延設された第二の延設部が、上記第一の延設部よりも下方であって厚さ方向において重複して設けられていることを特徴とする請求項３記載のトイレットペーパーホルダー。
【請求項５】
上記駆動部は上記ロールを上記引き出し方向に回動させるためのモータを有し、
上記モータによって上記ロールを回動させて、上記ペーパーを上記前部側カバー部により切断した上記先端部を上記背部側カバー部に当接させて上記先端部を上記ロールから離間させることを特徴とする請求項１記載のトイレットペーパーホルダー。
【請求項６】
上記ロールの芯を支持する回動支持軸を更に備え、
上記回動支持軸は周表面に上記芯の内側面に圧接する内側面圧接部を有することを特徴とする請求項１から５のいずれか一項に記載のトイレットペーパーホルダー。
【請求項７】
上記内側面圧接部は、上記芯の内側面に圧接するスリップ防止部材と、上記スリップ防止部材を付勢する付勢部材とを備えていることを特徴とする請求項６記載のトイレットペーパーホルダー。
【考案の詳細な説明】
【技術分野】
【０００１】
本考案は、トイレットペーパーホルダーに関するものである。特に、トイレットペーパーロールが保持され、上記トイレットペーパーロール上部を被覆すると共に使用者が引き出したペーパーを所定長さに切断するカバーを備えたトイレットペーパーホルダーに関するものである。
【背景技術】
【０００２】
従来のトイレットペーパーホルダーとしては、使用者が引き出したトイレットペーパーを切断するための下方へ突出する突出部からなる切断部を有するカバーを備えたものが開示されている（例えば、特許文献１参照）。
【０００３】
しかしながら、特許文献１に記載のトイレットペーパーホルダーにおいては、一方の手でカバーを押し下げた状態で他方の手で引き出したトイレットペーパーを引き上げることによってトイレットペーパーをカットする。このため、切断したトイレットペーパーの先端部は、一方の手でカバーを押し下げた際の力によってトイレットペーパーロール本体にめり込んでしまう。この結果、次にトイレットペーパーを引き出す際に、上記先端部が摘み難くなるという問題点があった。
【特許文献１】特開平１０−２９０７６６号公報
【考案の開示】
【考案が解決しようとする課題】
【０００４】
本考案は、上記従来技術の有する問題点に鑑みなされたものであり、その目的とするところは、トイレットペーパーを引き出す際に、トイレットペーパーの先端部が摘み易いトイレットペーパーホルダーを提供することにある。
【課題を解決するための手段】
【０００５】
本考案の上記課題は、下記の手段によって達成される。請求項１の考案に係るトイレットペーパーホルダーにあっては、トイレットペーパーロールが保持され、上記トイレットペーパーロール上部を被覆すると共に使用者が引き出したペーパーを所定長さに切断するカバーを備えたトイレットペーパーホルダーであって、上記カバーは、上記ロールの上部前部側を被覆すると共に下方へ突出する突出部からなる切断部を有する前部側カバー部と、上記ロールの上部背部側を被覆する背部側カバー部とにより構成され、ペーパーが上記前部側カバー部により切断された場合には、上記ロールを上記引き出し方向へさらに回動させることによりペーパーの先端部を上記背部側カバー部に当接させることにより上記先端部をロール本体から離間させる駆動部を有することを特徴とする。
【０００６】
請求項１記載の考案に係るトイレットペーパーホルダーにあっては、トイレットペーパーが前部側カバー部により切断された場合に、駆動部がトイレットペーパーロールを引き出し方向へさらに回動させることによってロール本体に密着していることの多いペーパーの先端部を背部側カバー部に当接させて上記先端部をロール本体から離間させることができる。
【０００７】
請求項２の考案に係るトイレットペーパーホルダーにあっては、上記前部側カバー部の切断部の端縁が上記ペーパーの長さ方向に沿って斜めに配置され所定角度を以って互いに隣接する直線部を有することを特徴とする。また、請求項３の考案に係るトイレットペーパーホルダーにあっては、上記前部側カバー部及び背部側カバー部は平面略三角形状に形成されていることを特徴とする。
【０００８】
請求項４の考案に係るトイレットペーパーホルダーにあっては、上記前部側カバー部及び背部側カバー部が、夫々、後端部において互いに隣接された前部側カバー部軸部及び背部側カバー部軸部とにより軸支され、上記前部側カバー部の後端部には、上記前部側カバー部軸部への軸着部から長さ方向外方に延設された第一の延設部が設けられると共に、上記背部側カバー部の後端部には、上記背部側カバー部軸部への軸着部から長さ方向外方に延設された第二の延設部が、上記第一の延設部よりも下方であって厚さ方向において重複して設けられていることを特徴とする。
【０００９】
請求項５の考案に係るトイレットペーパーホルダーにあっては、上記駆動部は上記ロールを上記引き出し方向に回動させるためのモータを有し、上記モータによって上記ロールを回動させて、上記ペーパーを上記前部側カバー部により切断した上記先端部を上記背部側カバー部に当接させて上記先端部を上記ロールから離間させることを特徴とする。
【００１０】
請求項６の考案に係るトイレットペーパーホルダーにあっては、上記ロールの芯を支持する回動支持軸を更に備え、上記回動支持軸は周表面に上記芯の内側面に圧接する内側面圧接部を有することを特徴とする。また、請求項７の考案に係るトイレットペーパーホルダーにあっては、上記内側面圧接部は、上記芯の内側面に圧接するスリップ防止部材と、上記スリップ防止部材を付勢する付勢部材とを備えていることを特徴とする。
【考案の効果】
【００１１】
請求項１記載の考案に係るトイレットペーパーホルダーにあっては、トイレットペーパーが前部側カバー部により切断された場合に、駆動部がトイレットペーパーロールを引き出し方向へさらに回動させることによってペーパーの先端部を背部側カバー部に当接させて上記先端部をロール本体から離間させることができるので、切断されて形成された上記先端部はロール本体から垂下することとなり、使用者は上記先端部がロール本体に密着している場合に比べて上記先端部を容易に摘むことができる。この結果、使用者はトイレットペーパーを容易に引き出すことができる。
【００１２】
また、請求項２記載の考案に係るトイレットペーパーホルダーにあっては、上記端縁が上記ペーパーの長さ方向に沿って斜めに配置され所定角度を以って互いに隣接する直線部を有するので、上記前部側カバー部の切断部を引き出し方向に突出させることができる。この結果、上記端縁に沿ってペーパーを切断した場合には切断した後のペーパーの先端部を引き出し方向に突出させることができるので、切断した後のペーパーの先端部を引き出し方向に突出させるために当該先端部を折る手間を省くことができる。
【００１３】
また、請求項３記載の考案に係るトイレットペーパーホルダーにあっては、上記前部側カバー部と背部側カバー部とが平面略三角形状に形成されているので、当該トイレットペーパーホルダーにおいても切断した後のペーパーの先端部を平面三角形状に形成させることができ、上記先端部を背部側カバー部の平面略三角形状の角部と当接させることにより、上記先端部をロール本体からより容易にロール本体から離間させることができる。
【００１４】
また、請求項４記載の考案に係るトイレットペーパーホルダーにあっては、上記前部側カバー部及び背部側カバー部が、夫々、後端部において互いに隣接された前部側カバー部軸部及び背部側カバー部軸部とにより軸支され、上記前部側カバー部の後端部には、上記前部側カバー部軸部への軸着部から長さ方向外方に延設された第一の延設部が設けられると共に、上記背部側カバー部の後端部には、上記背部側カバー部軸部への軸着部から長さ方向外方に延設された第二の延設部が、上記第一の延設部よりも下方であって厚さ方向において重複して設けられているので、上記前部側カバー部の上記切断部を持ち上げると、第一の延設部が前部側カバー部軸部を中心に下方へ回動して第二の延設部と接触して上記第二の延設部を押し下げることにより、上記背部側カバー部は上記背部側カバー部軸部を中心に上方へ回動する。この結果、上記前部側カバー部の切断部を持ち上げるだけで、上記背部側カバー部も持ち上がるので、上記前部側カバー部と上記背部側カバー部との両方を持ち上げることなく容易に新しいトイレットペーパーロールと交換することができる。
【００１５】
また、請求項５記載の考案に係るトイレットペーパーホルダーにあっては、上記駆動部が上記ロールを上記引き出し方向に回動させるためのモータを有し、上記モータによって上記ロールを回動させるので、複雑な駆動機構を設計することなく上記ロールの回動方向および回動量を簡単に調節することができる。
【００１６】
また、請求項６記載の考案に係るトイレットペーパーホルダーにあっては、上記ロールの芯を支持する回転支持軸が周表面に上記芯の内側面に圧接する内側面圧接部を有し、上記内側面圧接部が上記芯の内側面に圧接するので、上記駆動部の回動力をトイレットペーパーロールの芯に確実に伝達してトイレットペーパーロールを回動させることができる。特に、請求項７記載の考案に係るトイレットペーパーホルダーにあっては、上記内側面圧接部が、上記芯の内側面に圧接するスリップ防止部材と、上記スリップ防止部材を付勢する付勢部材とを備えているので、付勢部材によってスリップ防止部材を回転支持軸の周表面の外方へ付勢することにより、スリップ防止部材を芯の内側面に圧接させることができる。
【図面の簡単な説明】
【００１７】
【図１】図１は本考案に係るトイレットペーパーホルダー１０の一実施の形態を示す斜視図である。
【図２】図２は本考案に係るトイレットペーパーホルダー１０の一実施の形態を示し、図１のトイレットペーパーホルダー１０の平面図である。
【図３】図３は本考案に係るトイレットペーパーホルダー１０の一実施の形態を示し、図２のトイレットペーパーホルダー１０のＡ−Ａ線における矢視断面図である。
【図４】図４は本考案に係る前部側カバー部２４の変形例を示す斜視図である。
【図５】図５は本考案に係るトイレットペーパーホルダー１０の一実施の形態を示し、図１のトイレットペーパーホルダー１０のトイレットペーパー交換時における斜視図である。
【図６】図６は、本考案に係る回動支持軸４０の一実施の形態を示し、ロール１４の芯を支持してロール１４の回動中心軸Ｃを中心に回動する回動支持軸４０の平面図である。
【図７】図７は、本考案に係る駆動部６４の一実施の形態を示し、図６のＢ−Ｂ線における矢視断面図であって、駆動部６４内の駆動機構の一例を示した模式図である。
【考案を実施するための最良の形態】
【００１８】
以下、本考案の実施の形態を、図面を参照して詳細に説明する。なお、本考案のトイレットペーパーホルダーは、以下の実施例に限定されるものではなく、本考案の要旨を逸脱しない範囲内において種々変更を加え得ることは勿論である。
【００１９】
図１は、本実施の形態に係るトイレットペーパーホルダー１０の斜視図である。また、図２は、図１のトイレットペーパーホルダー１０の平面図である。また、図３は、図２のトイレットペーパーホルダー１０のＡ−Ａ線における矢視断面図である。
【００２０】
図１〜図３に示すように、トイレットペーパーホルダー１０は、トイレットペーパーホルダー１０を壁面に取り付けるための壁面固定部１２と、壁面固定部１２から使用者側に延設されてトイレットペーパーロール１４（以下ロール１４と称する）を軸方向一端部側のみで保持するロール保持部１６と、ロール１４の上部を被覆すると共に使用者が引き出したペーパーを所定長さに切断するカバー１８と、壁面固定部１２から使用者側に延設されてカバー１８を保持するカバー保持部２０とを備える。
【００２１】
カバー１８は、ロール１４の上部前部側を被覆すると共に下方へ突出する突出部からなる切断部２２を有する前部側カバー部２４と、ロール１４の上部背部側を被覆する背部側カバー部２６とにより構成される。前部側カバー部２４と背部側カバー部２６とは、カバー本体１８ａとカバー本体１８ａの後端部に幅方向全域に設けられた円筒状軸着部３２，３６を備えており、円筒状軸着部３２，３６は前部側カバー部軸部２８および背部側カバー部軸部３０に回動可能に固定されている。
【００２２】
前部側カバー部２４はコイルバネ２７によってロール１４側に付勢されている。コイルバネ２７は、前部側カバー部軸部２８に巻き付くように設けられ、円筒状軸着部３２に内装され、一端部がカバー保持部２０に他端部が前部側カバー部２４の表面に固定されている。前部側カバー部２４がコイルバネ２７によってロール１４側に付勢されているので、使用者は前部側カバー部２４を押えることなく引き出したペーパーを切断することができる。
【００２３】
前部側カバー部２４及び背部側カバー部２６は平面略三角形状に形成されている。このように、トイレットペーパーホルダー１０は、前部側カバー部２４が平面略三角形状に形成されているので、切断部２２に沿ってペーパーを切断した場合には切断した後のペーパーの先端部を平面略三角形状に形成させることができる。このため、使用者が切断した後のペーパーの先端部を平面略三角形状に形成するために当該先端部を折る手間を省くことができる。
【００２４】
なお、前部側カバー部２４の形状は平面略三角形状に限られることはない。例えば、図４に示すように、平面略五角形状であって、斜辺を形成する前部側カバー部２５の切断部２３の端縁２３ａ，２３ｂをペーパーの長さ方向に沿って斜めに配置し、所定角度を以って互いに隣接する直線部を有するように形成した形状であってもよい。なお、図４において、図１〜図３と同様の部分には同じ符号を付し、それらの説明については省略する。図４に示すような平面略五角形状であっても、前部側カバー部２５の切断部２３を引き出し方向に突出させることができるので、端縁２３ａ，２３ｂに沿ってペーパーを切断した場合には切断した後のペーパーの先端部を引き出し方向に突出させることができる。このため、本形状においても前部側カバー部２５の形状を平面略三角形状とした場合と同様の作用・効果が得られる。
【００２５】
なお、前部側カバー部２４，２５の先端部２４ａ，２５ａの形状は円弧状に限られるものではなく尖らせるようにしてもよい。例えば、前部側カバー部２４の切断部２２を尖らせた形状であってもよい。この場合においても前部側カバー部２４の形状を平面略三角形状とした場合と同様の作用・効果が得られる。
【００２６】
また、図１〜図３に示すように、前部側カバー部２４と背部側カバー部２６とが平面略三角形状に形成した場合には、平面略三角形状に形成させたペーパーの先端部を背部側カバー部２６の平面略三角形状の角部と当接させることにより、上記先端部をロール１４本体からより容易にロール１４本体から離間させることができる。
【００２７】
なお、背部側カバー部２６の先端部は尖った形状であればよく、平面略三角形の形状に限られることはない。例えば、背部側カバー部２６は平面略Ｔ字形状であってもよい。この場合においても、平面略三角形状に形成させたペーパーの先端部を背部側カバー部２６の平面略Ｔ字形状の先端角部と当接させることにより、上記先端部をロール１４本体からより容易にロール１４本体から離間させることができる。
【００２８】
前部側カバー部２４及び背部側カバー部２６は、夫々、後端部において互いに隣接され、カバー保持部２０からペーパーの長さ方向と直交するように延設された前部側カバー部軸部２８及び背部側カバー部軸部３０により軸支されている。
【００２９】
前部側カバー部２４の後端部には、前部側カバー部軸部２８への円筒状軸着部３２から長さ方向外方に延設された第一の延設部３４が設けられると共に、上記背部側カバー部２６の後端部には、背部側カバー部軸部３０への円筒状軸着部３６から長さ方向外方に延設された第二の延設部３８が、第一の延設部３４よりも下方であって厚さ方向において重複して設けられている。
【００３０】
このため、トイレットペーパーホルダー１０は、前部側カバー部２４の切断部２２を持ち上げると、第一の延設部３４が前部側カバー部軸部２８を中心に下方へ回動して第二の延設部３８と接触して第二の延設部３８を押し下げることにより、背部側カバー部２６は背部側カバー部軸部３０を中心に上方へ回動する。この結果、図５で示すように、前部側カバー部２４の切断部２２を持ち上げるだけで、背部側カバー部２６も持ち上がるので、前部側カバー部２４と背部側カバー部２６との両方を持ち上げることなく容易に新しいロールと交換することができる。
【００３１】
図６は、ロール１４の芯を支持してロール１４の回動中心軸Ｃを中心に回動する回動支持軸４０の平面図である。回動支持軸４０は、回動支持軸本体４０ａの中心に設けられ、ロール保持部１６からペーパーの長さ方向と直交するように延設された棒状の回動支持軸保持部４２が挿入される挿入孔４４と、回動支持軸本体４０ａの周表面に複数設けられ、ロール１４の芯の内側面に圧接する内側面圧接部４８と、回動支持軸本体４０ａの先端部に設けられ、ピン５２を中心に回動するロール落下防止部５４と、ロール１４を挿入する際にロール１４がロール保持部１６側に押し込まれ過ぎないようにするためのガイド部５６とを有する。なお、回動支持軸４０は回動支持軸本体４０ａ内に回動支持軸保持部４２との回転摩擦を低減するベアリングを設けてもよい。
【００３２】
内側面圧接部４８は、回動支持軸本体４０ａの周面部に設けられた凹部５０に設けられ、ロール１４の芯の内側面に圧接するスリップ防止部材５８と、スリップ防止部材５８を回動支持軸本体４０ａの周表面の外方に付勢する付勢部材５９とを備えている。このため、内側面圧接部４８は、スリップ防止部材５８が付勢部材５９によって回転支持軸４０の周表面の外方に付勢されるので、スリップ防止部材５８を芯の内側面に確実に圧接させることができる。
【００３３】
凹部５０は、回転中心軸Ｃに対して直交するように周表面側から回転中心軸Ｃに向って凹設されている。凹部５０が凹設される位置は、等間隔毎に均等に設けてもよいし、不規則な間隔で設けてもよい。スリップ防止部材５８は断面凸状に形成され、付勢部材５９の一端に設けられている。スリップ防止部材５８は、凹部５０の開口周端に設けられた突起部６０と接触してスリップ防止部材５８が外方に飛び出すのを防止する突縁部６２を有する。スリップ防止部材５８は本実施例においてはゴムにより構成されている。なお、スリップ防止部材５８は摩擦力を有するものであればよく、ゴムに限られることはない。
【００３４】
付勢部材５９は一例としてコイルスプリングで構成されている。なお、付勢部材５９は常時回動支持軸本体４０ａの周表面外方へ付勢する付勢力を有するものであればよく、コイルスプリングに限られることはない。このような構成により、回動支持軸４０は、内側面圧接部４８がロール１４の芯の内側面に圧接するので、駆動部６４の回動力をロール１４の芯に効率よく伝達してロール１４を回動させることができる。
【００３５】
内側面圧接部４８は、ロール落下防止部５４が設けられた回動支持軸本体４０ａの一端部側からロール１４が挿入されると、ロール１４の芯によってスリップ防止部材５８が回動支持軸本体４０ａの中心に向って押し込まれる。押し込まれたスリップ防止部材５８は、付勢部材５９の付勢力によってロール１４の芯の内側面と圧接し、ロール１４と回動支持軸本体４０ａとの間の回転力を伝達する。
【００３６】
ロール落下防止部５４は、ロール１４を回動支持軸本体４０ａに装着する場合には回動支持軸保持部４２と平行な方向に配置され、ロール１４を回動支持軸保持部４２に装着した後には回動支持軸保持部４２と直交する方向に回動してロール１４を回動支持軸４０に固定するように構成されている。
【００３７】
ガイド部５６は回動支持軸本体４０ａの基端部において、回動支持軸本体４０ａの軸方向と直交する外方向に向って延設されている。ガイド部５６の外方には駆動部６４が設けられている。駆動部６４は、回動支持軸保持部４２が貫通すると共に、ガイド部５６から回動支持軸保持部４２に沿ってロール保持部１６に向って延設された駆動力伝達延設部６６が挿入配置されている。
【００３８】
図７は、図６のＢ−Ｂ線における矢視断面図であって、駆動部６４内の駆動機構の一例を示した模式図である。駆動部６４は、ロール１４を引き出し方向に回動させるためのモータ（図示せず）と、モータの回動を駆動力伝達延設部６６に伝達するピニオン９２および平歯車６８と、モータを駆動制御する駆動制御部と、モータを駆動させるための受電部とを有する。受電部は乾電池を収納するバッテリーボックスであってもよいし、コンセントであってもよい。
【００３９】
駆動制御部は、モータの駆動及び停止を制御するマイコンと、マイコンがモータの駆動及び停止を制御するための判定条件を検出するＬＥＤ及び光センサーとを備えている。光センサーはＬＥＤの光が受光可能、かつ平歯車６８の歯によってＬＥＤの光が遮断される位置に配置される。光センサーはマイコンに接続され、受光したＬＥＤの光強度信号をマイコンに出力する。マイコンは入力された光強度信号の強弱の変化からＬＥＤの光が平歯車６８の歯によって遮断された回数を検出する。
【００４０】
マイコンは、予め定められた回数よりも多いＬＥＤ光の遮断回数を検出し、かつその後更に光強度信号の強弱の変化が例えば１秒以上検出されたかった場合、平歯車６８の回転が停止したものと判断して受電部とモータとを通電してモータを駆動させる。これと同時にマイコンは再びＬＥＤ光の遮断回数を検出する。その後、マイコンはＬＥＤ光の遮断回数が予め定められた回数と等しくなったときに受電部とモータとを通電を解除してモータを停止させる。
【００４１】
上記マイコン制御により、ペーパーが引き出されることによってロール１４が予め定められた回数（例えば４回転）よりも多く回転し、ペーパーが切断されてロール１４が停止した後に、モータがロール１４を予め定められた回動量（２７０度：３／４回転）だけ回動させる。
【００４２】
なお、モータを駆動させるための条件としては、ＬＥＤ光の遮断回数に限られることはない。例えば、前部側カバー部２４の切断部２２の裏面に感圧センサーを設け、感圧センサーでペーパー切断時の圧力変化を検知し、感圧センサーが圧力を検知しなくなった時点で受電部とモータとを通電して上述したようにモータを駆動させ、その後停止させるようにしてもよい。
【００４３】
ピニオン９２はモータの回動軸９３に装着され、当該回動軸９３における矢印９４方向の回動力がピニオン９２を介して歯合する平歯車６８に伝達される。平歯車６８は伝達された回動力によって矢印９６方向に回動し、ロール１４を矢印９８方向に回動させる。
【００４４】
このように、モータによってロール１４を引き出し方向（矢印９８方向）に回動させるので、複雑な駆動機構を設計することなくロール１４の回動方向および回動量を簡単に調節することができる。
【００４５】
このように、モータによってロール１４を回動させて、ペーパーを前部側カバー部により切断した先端部を背部側カバー部２６に当接させて先端部をロール１４から離間させる。これにより、使用者は上記先端部がロール１４本体にめり込んでいる場合に比べて上記先端部を容易に摘むことができる。この結果、使用者はトイレットペーパーを容易に引き出すことができる。
【００４６】
なお、モータはマイコンによってピニオン９２を回動させる方向を制御してもよい。例えば、モータがロール１４を予め定められた回動量（２７０度：３／４回転）だけ回動させた後、マイコンは電流の向きを変えて通電し、ＬＥＤ光の遮断回数が予め定められた回数と等しくなったときに受電部とモータとを通電を解除してモータを停止させる。これにより、垂下したペーパーを巻き取ることによって垂下したペーパーの長さを微調整することができる。
【００４７】
なお、駆動部６４の駆動機構は図７に示したようにモータを用いたものに限られることはない。例えば、渦巻きバネと複数のギアをと組合せた構造であってもよい。
【００４８】
本実施形態のトイレットペーパーホルダーによれば、ロール１４本体に密着していることの多いペーパーの先端部を背部側カバー部２６に当接させて上記先端部をロール１４本体から離間させることができるので、切断されて形成された上記先端部はロール１４本体から垂下することとなる。この結果、使用者は上記先端部がロール１４本体に密着している場合に比べて上記先端部を容易に摘むことができる。この結果、使用者はトイレットペーパーを容易に引き出すことができる。
【産業上の利用可能性】
【００４９】
本考案のトイレットペーパーホルダー１０は、ロール式のトイレットペーパーを用いるトイレットペーパーホルダーに利用した場合に極めて有用である。
【符号の説明】
【００５０】
１０・・・トイレットペーパーホルダー
１２・・・壁面固定部
１４・・・トイレットペーパーロール
１６・・・ロール保持部
１８・・・カバー
１８ａ・・・カバー本体
２０・・・カバー保持部
２２・・・切断部
２２ａ，２２ｂ，２３ａ，２３ｂ・・・縁端
２４，２５・・・前部側カバー部
２４ａ，２５ａ・・・前部側カバー部の先端部
２６・・・背部側カバー部
２８・・・前部側カバー部軸部
３０・・・背部側カバー部軸部
３２、３６・・・円筒状軸着部
３４・・・第一の延設部
３８・・・第二の延設部
４０・・・回動支持軸
４０ａ・・・回動支持軸本体
４２・・・回動支持軸保持部
４４・・・挿入孔
４８・・・内側面圧接部
５０・・・凹部
５２・・・ピン
５４・・・ロール落下防止部
５６・・・ガイド部
５８・・・スリップ防止部材
６０・・・突起部
６２・・・防止突起
６４・・・駆動部
６６・・・駆動力伝達延設部
６８・・・平歯車
９２・・・ピニオン
９４〜９８・・・矢印
【図１】
0003188457.tif 000003
【図２】
0003188457.tif 000004
【図３】
0003188457.tif 000005
【図４】
0003188457.tif 000006
【図５】
0003188457.tif 000007
【図６】
0003188457.tif 000008
【図７】
0003188457.tif 000009